(57)【要約】【課題】封印手段が基板ケースに痕跡を残すことによって、封印構造を容易に形成することができるようにした遊技機の制御基板ケース装置、及びこの制御基板ケース装置を備える遊技機を提供する。【解決手段】  封印手段９０は、ケース体６０及び蓋体７０の挿通孔６５、７６に挿入しうる軸部９２と、この軸部９２に設けられ、軸部９２の径方向へ縮径変形した状態で、軸部９２を挿通孔６５、７６に挿入し、挿通孔６５、７６を通過したあと、弾性復帰することによって、挿通孔６５、７６の周辺に、軸部９２の反挿入方向へ係止可能な弾性変形可能な弾性爪部９３と、軸部９２を反挿入方向へ付勢し、弾性爪部９３を挿通孔６５、７６の周辺に押圧可能な弾性手段９４とを含み、弾性爪部９３は、弾性手段９４の付勢力をもって挿通孔６５、７６の周辺に係止していたことの痕跡Ｓ１を残すことができる。【選択図】  図７
2012223348.tif 000002
【特許請求の範囲】
【請求項１】
制御基板が収容されるケース体と、このケース体を閉鎖する蓋体と、前記ケース体及び蓋体にそれぞれ設けられた挿通孔に挿入することにより、前記ケース体に対する前記蓋体の開放を阻止する封印手段とを備える遊技機の制御基板ケース装置において、
前記封印手段は、前記ケース体及び前記蓋体の前記挿通孔に挿入しうる軸部と、この軸部の一端に設けられ、前記軸部の径方向へ縮径変形した状態で、前記軸部を前記挿通孔に挿入し、前記挿通孔を通過したあと、弾性復帰することによって、前記挿通孔の周辺に、前記軸部の反挿入方向へ係止可能な弾性変形可能な弾性爪部と、前記軸部を反挿入方向へ付勢し、前記弾性爪部を前記挿通孔の周辺に押圧可能な弾性手段とを含み、
前記弾性爪部は、前記弾性手段の付勢力をもって前記挿通孔の周辺に係止していたことの痕跡を残すことができるようにしたことを特徴とする遊技機の制御基板ケース装置。
【請求項２】
ベース体と、このベース体の表面に固定され、制御基板が収容される基板ケースと、前記基板ケース及びベース体にそれぞれ設けられた挿通孔に挿入することにより、前記基板ケースを、前記ベース体に対して封印して固定する封印手段とを備える遊技機の制御基板ケース装置において、
前記封印手段は、前記基板ケース及びベース体の前記挿通孔に挿入しうる軸部と、この軸部の一端に設けられ、前記軸部の径方向へ縮径変形した状態で、前記軸部が、前記基板ケースの前記挿通孔を通過して、前記ベース体の挿通孔を通過したあと、弾性復帰することによって、前記ベース体の前記挿通孔の周辺に、前記軸部の反挿入方向へ係止可能な弾性変形可能な弾性爪部と、前記軸部を反挿入方向へ付勢し、前記弾性爪部を前記挿通孔の周辺に押圧可能な弾性手段とを含み、
前記基板ケースの挿通孔を通過した前記弾性爪部は、前記弾性手段の付勢力をもって、前記ベース体の挿通孔の周辺に係止していたことの痕跡を残すことができるようにしたことを特徴とする遊技機の制御基板ケース装置。
【請求項３】
前記軸部の前記一端とは反対側の他端に前記軸部の外周方向へ拡径する拡径鍔部を設け、前記弾性手段を前記拡径鍔部に当接可能に前記軸部の周りに配設したことにより、前記軸部を、反挿入方向へ付勢可能としたことを特徴とする請求項１または２に記載の遊技機の制御基板ケース装置。
【請求項４】
前記軸部周りに、外周方向へ拡径する拡径鍔部を有する筒状のカラーを、前記軸部が軸線方向に摺動可能となるように設け、前記カラーの拡径鍔部と前記軸部の拡径鍔部との間に、前記弾性手段を配設したことを特徴とする請求項３に記載の遊技機の制御基板ケース装置。
【請求項５】
前記カラーの外周にスリットを設け、前記スリットは、前記弾性爪部が縮径変形した際に、前記弾性爪部を収容し、またその収容状態を維持するようになっていることを特徴とする請求項４に記載の遊技機の制御基板ケース装置。
【請求項６】
前記弾性爪部の先端を、前記弾性爪部が係止する前記挿通孔周辺よりも高硬度、及び／または尖形としたことを特徴とする請求項１〜５のいずれかに記載の遊技機の制御基板ケース装置。
【請求項７】
請求項１〜６のいずれかに記載の制御基板ケース装置を備えることを特徴とする遊技機。
【発明の詳細な説明】
【技術分野】
【０００１】
本発明は、遊技機の動作を制御するための制御基板を収容しうる制御基板ケース装置、及びこの基板ケース装置を備える遊技機に関する。
【背景技術】
【０００２】
従来、スロットマシンやパチンコ機等の遊技機においては、遊技全体を制御するＣＰＵ、ＲＡＭ、ＲＯＭ等の電子部品を実装した制御基板を収容した基板ケースを、制御基板の電子部品を不正に交換する等の不正改造ができないように、ケース体と蓋体からなる基板ケースに設けた封印部を封印手段により封印した状態で、遊技機における筐体内に設けられているものがある。もし、不正に基板ケースを開封した場合には、封印部または封印手段を破壊しなければならないため、その破壊の痕跡に基いて、基板ケースの不正な開封を容易に発見することができる（例えば、特許文献１参照）。
【先行技術文献】
【特許文献】
【０００３】
【特許文献１】特開２００４−０６５７９１公報
【発明の概要】
【発明が解決しようとする課題】
【０００４】
上述の特許文献１に記載された遊技機の制御基板ケース装置においては、封印した基板ケースの封印手段（カシメピン）等を破壊することによって、基板ケースを開封することができるが、基板ケースを無傷で再利用することが可能である。即ち、封印手段を破壊することなく引き抜くことができれば、基板ケースを開封した痕跡は残らないため、不正な開封がなされたとしても、その発見は容易ではない。
【０００５】
本発明は、上述のような従来の問題に鑑み、封印手段が基板ケースに痕跡を残すことによって、封印構造を容易に形成することができるようにした、遊技機の制御基板ケース装置、及びこの制御基板ケース装置を備える遊技機を提供することを目的とする。
【課題を解決するための手段】
【０００６】
(１)  制御基板が収容されるケース体と、このケース体を閉鎖する蓋体と、前記ケース体及び蓋体にそれぞれ設けられた挿通孔に挿入することにより、前記ケース体に対する前記蓋体の開放を阻止する封印手段とを備える遊技機の制御基板ケース装置において、前記封印手段は、前記ケース体及び前記蓋体の前記挿通孔に挿入しうる軸部と、この軸部の一端に設けられ、前記軸部の径方向へ縮径変形した状態で、前記軸部を前記挿通孔に挿入し、前記挿通孔を通過したあと、弾性復帰することによって、前記挿通孔の周辺に、前記軸部の反挿入方向へ係止可能な弾性変形可能な弾性爪部と、前記軸部を反挿入方向へ付勢し、前記弾性爪部を前記挿通孔の周辺に押圧可能な弾性手段とを含み、前記弾性爪部は、前記弾性手段の付勢力をもって前記挿通孔の周辺に係止していたことの痕跡を残すことができるようにする。
この構成によれば、簡単な構成で弾性爪部が係止するケース体または蓋体に係止痕を確実に残すことができる。
【０００７】
(２)  ベース体と、このベース体の表面に固定され、制御基板が収容される基板ケースと、前記基板ケース及びベース体にそれぞれ設けられた挿通孔に挿入することにより、前記基板ケースを、前記ベース体に対して封印して固定する封印手段とを備える遊技機の制御基板ケース装置において、前記封印手段は、前記基板ケース及びベース体の前記挿通孔に挿入しうる軸部と、この軸部の一端に設けられ、前記軸部の径方向へ縮径変形した状態で、前記軸部が、前記基板ケースの前記挿通孔を通過して、前記ベース体の挿通孔を通過したあと、弾性復帰することによって、前記ベース体の前記挿通孔の周辺に、前記軸部の反挿入方向へ係止可能な弾性変形可能な弾性爪部と、前記軸部を反挿入方向へ付勢し、前記弾性爪部を前記挿通孔の周辺に押圧可能な弾性手段とを含み、前記基板ケースの挿通孔を通過した前記弾性爪部は、前記弾性手段の付勢力をもって、前記ベース体の挿通孔の周辺に係止していたことの痕跡を残すことができるようにする。
この構成によれば、簡単な構成で弾性爪部が係止するベース体に係止痕を確実に残すことができる。
【０００８】
(３)  上記(１)または(２)項において、前記軸部の前記一端とは反対側の他端に前記軸部の外周方向へ拡径する拡径鍔部を設け、前記弾性手段を前記拡径鍔部に当接可能に前記軸部の周りに配設したことにより、前記軸部を、反挿入方向へ付勢可能とする。
この構成によれば、弾性手段の付勢力を、効率よく軸部に伝達することができる。
【０００９】
(４)  上記(３)項において、前記軸部周りに、外周方向へ拡径する拡径鍔部を有する筒状のカラーを、前記軸部が軸線方向に摺動可能となるように設け、前記カラーの拡径鍔部と前記軸部の拡径鍔部との間に、前記弾性手段を配設する。
この構成によれば、弾性手段の付勢力を、効率よく軸部に伝達することができる。
【００１０】
(５)  上記(４)項において、前記カラーの外周にスリットを設け、これらのスリットは、前記弾性爪部が縮径変形した際に、前記弾性爪部を収容し、またその収容状態を維持するようになっている。
この構成によれば、予め弾性爪部をスリットに収容させて、挿通孔に挿入することができ、挿通孔周りに爪部が当接することによる傷を防ぐことができる。
【００１１】
(６)  上記(１)〜(５)項のいずれかにおいて、前記弾性爪部の先端を、前記弾性爪部が係止する前記挿通孔周辺よりも、高硬度、及び／または尖形とする。
この構成によれば、弾性爪部の係止によって、係止面に傷を付けて、係止面に痕跡を確実に残すことができる。
【００１２】
(７)  遊技機は、上記(１)〜(６)項のいずれかにおける制御基板ケース装置を備えるものとする。
この構成によれば、制御基板ケース装置を備えた遊技機は、不正行為の有無を発見することが容易となる。
【発明の効果】
【００１３】
本発明によれば、封印手段が基板ケースに痕跡を残すことによって、封印構造を容易に形成することができる。
【図面の簡単な説明】
【００１４】
【図１】本発明の制御基板ケース装置を備える遊技機の正面図である。
【図２】同じく前扉を外した状態の正面図である。
【図３】同じく前扉を開け、かつ制御基板ケース装置を遊技機から外した状態の斜視図である。
【図４】制御基板ケース装置の分解斜視図である。
【図５】制御基板ケース装置の正面図である。
【図６】（ａ）弾性爪部が通常状態にある際の封印装置の側面図である。（ｂ）弾性爪部が通常状態にある際の封印装置の左側面図である。（ｃ）弾性爪部が縮径変形状態にある際の封印装置の側面図である。（ｄ）図６（ｃ）のｄ−ｄ線における端面図である。
【図７】（ａ）〜（ｄ）封印手段がケース体及び蓋体を組付けし、封印する際の一連の状態を示す側面図である。
【図８】封印装置を一旦係止させ、その後離脱させたケース体における被係止部の痕跡を示す封印部の拡大正面図である。
【図９】制御基板ケース装置を封印装置によってベース体に固定し、封印する様子を示す封印部のＶ−Ｖ線における断面図である。
【図１０】封印装置を一旦係止させた状態で所定の角度回転させ、その後離脱させたケース体における被係止部の痕跡を示す封印部の拡大正面図である。
【図１１】（ａ）第１変形例における弾性爪部が通常状態の封印装置の側面図である。（ｂ）第１変形例における弾性爪部が通常状態の封印装置の左側面図である。（ｃ）第１変形例における弾性爪部が縮径変形状態にある際の封印装置の側面図である。（ｄ）図１１（ｃ）のｄ−ｄ線における端面図である。
【図１２】第２変形例における制御基板ケース装置を封印装置によってベース体に固定し、封印する様子を示す封印部の拡大断面図である。
【図１３】第３変形例におけるケース体と蓋体とを封印装置によって組付け、封印する様子を示す封印部の拡大断面図である。
【発明を実施するための形態】
【００１５】
以下、本発明の一実施形態を、図面に基いて説明する。なお、以下の説明では、図１、図２及び図５における紙面手前側、図３における左斜め下方、図４における右斜め下方を、遊技機の「前方」とし、図１、図２及び図５における紙面裏側、図３における右斜め上方、図４における左斜め上方を、遊技機の「後方」とし、図１及び図２における左方、図３における左斜め上方、図４における左斜め下方、及び図５における下方を、遊技機の「左方」とし、図１及び図２における右方、図３における右斜め下方、図４における右斜め上方及び図５における上方を、遊技機の「右方」とする。
本実施形態に係るスロットマシン１は、図１〜図３に示すように、前面に開口部１１を有するキャビネット１０と、このキャビネット１０の内部に着脱自在に設けられている後述する交換ユニット２と、キャビネット１０の開口部１１を開閉するための前扉３とを備えている。
【００１６】
前扉３は、開口部１１の上半分を開閉可能に塞ぐ上部前扉３０と、開口部１１の下半分を開閉可能に塞ぐ下部前扉４０とに分割され、上部前扉３０は交換ユニット２に開閉自在に設けられ、下部前扉４０はキャビネット１０に開閉自在に設けられており、上部前扉３０を閉じた状態にしたまま、下部前扉４０のみを開閉操作することができるようになっている。
【００１７】
（キャビネット１０）
キャビネット１０は、スロットマシン１の遊技を行うために必要な各種の機器及び装置を収容するものである。図２及び図３に示すように、キャビネット１０の内部は、中板１２により上下に仕切られており、中板１２より上方の空間には、スロットマシン１独自の遊技を行うための主要部である交換ユニット２が収容されるようになっている。一方、中板１２より下方の空間には、スロットマシン１の全体に電源を供給する電源装置４、及びスロットマシン１の遊技における遊技媒体であるメダルを収容可能かつ払い出し可能なホッパーユニット５が収容されるようになっている。
【００１８】
（交換ユニット２）
交換ユニット２は、種々の部材を設置あるいは固定するための支持体としての枠体２１と、この枠体２１の内部に回転可能に設けられ、周囲に複数の図柄を表示した複数の回転リール２２と、これらの回転リール２２を回転駆動する駆動モータ（図示省略）と、スロットマシン１の電子抽選及び回転リール２２の停止制御などの遊技動作を制御するための遊技制御装置であるメイン基板２３とをもって構成されている。
【００１９】
枠体２１には、図３に示すように、上部前扉３０を回動自在に支持する回動支持部２４が設けられている。これにより、交換ユニット２は、上部前扉が装着されたままの状態で、キャビネット１０に対して取り出すことが可能となっている。
【００２０】
メイン基板２３は、ＣＰＵ、ＲＡＭ、ＲＯＭ、及びＩ／Ｏ等で構成されている。ＣＰＵは、遊技を実行させる制御プログラム等が記憶されているＲＯＭから制御プログラムやデータを読み出し、Ｉ／Ｏを通して、スロットマシン１の各構成部材を制御して遊技を実行させる。なお、ＲＡＭは、毎回の遊技ごとに利用されるフラグやデータなどの一時保存等に用いられる。
【００２１】
メイン基板２３は、外部から接触不能となるように、後述する基板ケース装置５０の内部に収容されている。メイン基板２３を収容する基板ケース装置５０は、交換ユニット２の枠体２１における回転リール２２の上方、かつ後側に取り付けられている。
【００２２】
（上部前扉３０）
上部前扉３０は、図３に示すように、枠体２１に設けられた回動支持部２４により、左端縁側が回動自在に支持され、かつ、右端縁側が、施錠機構（図示省略）により開放不能に施錠しうるようになっている。
【００２３】
上部前扉３０の裏面における上方左右の隅部の近傍には、種々の音声を出力するためのスピーカ３１が設けられている。上部前扉３０のほぼ中央部には、上部前扉３０を閉じた状態において、回転リール２２の図柄を前方から視認可能とするための図柄表示窓３２が設けられており、かつ図柄表示窓３２の上方には、遊技の演出として動画や静止画等の様々な画像を表示可能な液晶表示装置３３を制御する演出制御基板であるサブ基板（図示省略）を内部に収容したサブ基板ケース３４が裏面側に設けられている。
【００２４】
上部前扉３０の前面における図柄表示窓３２の上方には、図１に示すように、液晶表示装置３３の表示領域である画面が設けられている。上部前扉３０の前面の上側縁及び両側縁には、両縁部に沿ってほぼ倒立Ｕ形をなし、入賞の告知や演出等のために光源を点灯あるいは点滅させる装飾照明部３５が設けられている。
【００２５】
（下部前扉４０）
下部前扉４０は、図３に示すように、キャビネット１０の左側前端部に設けられた回動支持部１３により、左端縁側が回動自在に支持され、右端縁側が施錠機構（図示省略）により、開放不能として施錠しうるようになっている。
【００２６】
下部前扉４０の前面には、図１に示すように、施錠された下部前扉４０の開錠を行う鍵が差し込まれる鍵穴４１と、メダルが投入されるメダル投入口４２と、回転リール２２の回転を停止させるためのストップスイッチ４３と、予めメダル投入口４２に投入されてクレジットされたメダルのうち遊技を行うためのメダルの枚数を設定するためのベットスイッチ４４と、回転リール２２の回転を開始させるためのスタートスイッチ４５とが設けられている。下部前扉４０の前面におけるストップスイッチ４３の下方には、スロットマシン１の機種名等を表示するための下パネル４６が設けられ、下部前扉４０の前面における下パネル４６の下方には、スロットマシン１の遊技において遊技者に払い出されたメダルを溜めておくためのメダル皿４７が設けられている。
【００２７】
下部前扉４０の裏面には、図３に示すように、メダル投入口４２に投入されたメダルを誘導しながらメダルの真贋を判定するためのメダルセレクタ４８が設けられている。上部前扉３０と同様に、裏面における下方左右の隅部の近傍には、種々の音声を出力するためのスピーカ４９が設けられている。
【００２８】
本発明の要部である基板ケース装置５０について説明する。
（基板ケース装置５０）
基板ケース装置５０は、図４に示すように、透明な合成樹脂で形成されたケース体６０、及び同じく透明な合成樹脂で形成された蓋体７０とに分割しうる箱型をなし、メイン基板２３を収容可能な基板ケース５１と、基板ケース５１であるケース体６０及び蓋体７０に設けられた後述する封印部９５に装着することにより、ケース体６０と蓋体７０とを組み合わせた状態で封印して組付け可能な封印手段である封印装置９０と、基板ケース５１の裏面側に取付られる後述するベース体８０とから構成されている。
【００２９】
基板ケース５１は、ケース体６０及び蓋体７０から構成されており、ケース体６０は、一面が開口した箱状に形成されたものであり、底面を形成する底部６１と、底部６１の周縁に沿って立設した壁部６２とを有し、メイン基板２３を収容しうるようになっている。
【００３０】
蓋体７０は、一面が開口し、ケース体６０の開口を塞ぐことができる箱状をなし、ケース体６０の開口を塞ぐ底部７１と、底部７１の周縁に沿って立設した壁部７２とを有している。図５に示すように、蓋体７０の右側端縁には、蓋体７０の右側を、枠体２１に対して止めネジ２５により固定するための取付孔７８が設けられている。
【００３１】
ベース体８０は、透明な合成樹脂で形成され、基板ケース５１を交換ユニット２の枠体２１に固定するために設けられ、ケース体６０及び蓋体７０の底部６１、７１とほぼ同型の基部８１と、基部８１の左側端部に前方へ突出する壁部８２とを有している。壁部８２の前端部には、ベース体８０の左側を、枠体２１に対して止めネジ２５により固定するための取付孔８３が設けられている。
【００３２】
ケース体６０、蓋体７０及びベース体８０を透明とすることにより、後述する封印の印である痕跡Ｓ１を、前方から容易に確認することができる。
【００３３】
基板ケース５１について、さらに具体的に説明する。
ケース体６０の上側の壁部６２には上方へ突出する係合爪６３が、下側の壁部６２には下方へ突出する係合爪６３が、それぞれ左右１対設けられている。ケース体６０の左側端部の上下には、前方に突出し、図５に示すように、蓋体７０の左側端部に設けられた後述する被係合部７３に、一定角度回動可能に係合しうる半円筒状の回動係合片６４が設けられている。
【００３４】
ケース体６０の右側端部には、封印装置９０に設けた後述するロックピン９１が挿入しうる挿通孔６５を有する円盤状の４つの取付片６６が、上下方向に並設されている。取付片６６の裏面の挿通孔６５の周囲には、前方から挿通孔６５に挿入したロックピン９１が有する後述する弾性爪部９３によって係止される被係止部６８（図７参照）が設けられている。また、図４及び図７に示すように、各取付片６６のうち中段の２つの取付片６６の裏面には、挿通孔８５を中心として、後方へ突出する有底筒状の保護カバー６９が設けられている。保護カバー６９は、挿通孔６５から後方へ突出したロックピン９１を、不正な外部からの接触から保護するためのものである。
【００３５】
蓋体７０の上下の壁部７２には、ケース体６０の係合爪６３が係合しうる係合孔７４を有する弾性変形可能な係合片７５が、上下に左右１対設けられている。蓋体７０の左側端部には、図５に示すように、ケース体６０の回動係合片６４に係合される被係合部７３が設けられている。蓋体７０の右側端部には、ケース体６０の取付片６６にそれぞれ対向し、ロックピン９１が挿入しうる挿通孔７６を有し、挿通孔７６を中心として、筒状の筒部７７ａ及び筒部７７ａより小径の小径筒部７７ｂの２重筒構造で形成された４個の２重筒部７７が上下方向に並設されている。小径筒部７７ｂは、基板ケース５１に装着した封印装置９０の前側部分の後述する軸部９２及びスプリング９４を外部からの不正な接触から保護するためのものである（図７（ｄ）参照）。
【００３６】
ベース体８０の壁部８２の上下には、ケース体６０の左側端面部に設けた上下の突部６７が嵌合可能な矩形状の嵌合孔８４、８４が設けられている。ベース体８０の右側端部には、ロックピン９１が挿入しうる挿通孔８５を有する取付片８６が上下端に２つ形成されている。取付片８６の裏面の挿通孔８５の周囲には、前方から挿通孔８５に挿入したロックピン９１が有する弾性爪部９３によって係止される被係止部８８が設けられている。図９に示すように、各取付片８６には、挿通孔８５と同心であって、取付片８６を境に前後方へ突出し、前端部が開口し、後端部が閉口している有底円筒状の保護カバー８７が設けられている。取付片８６より前側の保護カバー８７は、その内部に弾性爪部９３が弾性復帰可能とするための空間Ａが形成されており、取付片８６より後側の保護カバー８７とともに、挿通孔７６，６５から後方へ突出したロックピン９１及び後述するカラー９６を、不正な外部からの接触から保護するためのものである。
【００３７】
ケース体６０内にメイン基板２３を収容し、蓋体７０の被係合部７３にケース体６０の回動係合片６４を回動可能に係止するとともに、蓋体７０上下の係合片７５を弾性変形させて、ケース体６０の係合爪６３に係合させることにより、ケース体６０に蓋体７０を仮固定することができる。このように、蓋体７０の左側端部を回動可能に係合したことによって、蓋体７０は、片持ち支持されたまま開閉することが可能となり、扉を開ける要領で蓋体７０を容易に開閉できるため、メイン基板２３等を取り付ける際の効率がよく、組付け性が向上する。
【００３８】
このように、ケース体６０に蓋体７０を仮固定すると、ケース体６０及び蓋体７０の各挿通孔６５、７６が連通するため、ロックピン９１が各挿通孔６５、７６に対して一気に貫通可能となる。
なお、後述のように基板ケース５１をベース体８０に仮固定すると、基板ケース５１及びベース体８０の上下の各挿通孔７６、６５、８５が連通するため、ロックピン９１が各挿通孔６５、７６、８５に対して一気に貫通可能となる。
【００３９】
仮固定した基板ケース５１（ケース体６０及び蓋体７０）は封印装置９０によって封印される。具体的には、封印装置９０のロックピン９１を、仮固定した基板ケース５１の挿通孔７６、６５に挿入し、挿通孔７６、６５を通過したロックピン９１の弾性爪部９３を、ケース体６０の被係止部６８に係止させて、封印装置９０を装着することによって、仮固定した基板ケース５１を封印状態に組付けることができる（図４及び図７を参照）。
【００４０】
このように封印状態に組付けられた基板ケース５１は、左右で異なる構成をもって、ベース体８０に固定される。具体的には、基板ケース５１の左側は、ケース体６０の左側端面の上下の突部６７を、ベース体８０の壁部８２の上下の嵌合孔８４に嵌合させることによってベース体８０に仮固定される。基板ケース５１の右側は、封印装置９０のロックピン９１を蓋体７０の４つの挿通孔７６のうち上下の挿通孔７６から挿入し、挿通孔７６、６５、８５の順に通過したロックピン９１の弾性爪部９３を、ベース体８０の被係止部８８に係止させて、封印装置９０を装着することによってベース体８０に封印状態で固定される（図４及び図９を参照）。封印状態に組付けられた基板ケース５１をベース体８０に封印状態で固定することで基板ケース装置５０が構成される。
【００４１】
基板ケース装置５０は、ベース体８０の左側に設けられた取付孔８３と、蓋体７０の右側に設けられた取付孔７８とを、それぞれ取付ねじＢによって、枠体２１に対してねじ止めすることにより、キャビネット１０内に固定される。
【００４２】
このように、本実施形態の基板ケース装置５０は、メイン基板２３を収容したケース体６０に蓋体７０を封印装置９０によって封印して組付けた後に、ベース体８０に封印装置９０によって封印して固定するという順序で２重の封印状態でメイン基板２３を収容し、遊技機１のキャビネット１０内に固定される。
【００４３】
（封印部９５）
封印部９５は、ケース体６０、蓋体７０及びベース体８０においてそれぞれの右側に設けられた上述の構成要素からが形成されている。具体的には、各取付片６６、８６及び２重筒部７７と、各取付片６６、８６及び２重筒部７７に設けられた挿通孔６５、７６、８５と、封印装置９０を外部から保護するための保護カバー６９、８７とを含めて構成されている。
封印部９５は、封印部９５に装着された封印装置９０を、封印部９５から離脱不能とし、また、一部（後述する拡径鍔部９２ａ）を除いて、外部から接触不能として保護するものである。
なお、封印した基板ケース装置５０は、封印装置９０が装着された封印部９５を切断することにより開封可能となり、基板ケース５１とベース体８０とが離脱可能となり、ケース体６０と蓋体７０とが離脱可能となる。
【００４４】
（封印装置９０）
次に、封印装置９０について説明する。以下の説明では、図６（ａ）〜（ｃ）において上方を遊技機の「前方」とし、下方を遊技機の「後方」とする。
なお、封印装置９０は、ケース体６０と蓋体７０とを封印して組付けるものと、封印した基板ケース５１をベース体８０に封印して固定するものがあるが、両者は、後述するロックピン９１の軸部９２の長さや、スプリング９４の弾性力が僅かに異なるだけであるため、以下の説明において、両者の構成要素に共通の符号を付して説明する。
【００４５】
封印装置９０は、図６（ａ）〜図６（ｃ）に示すように、ベースとなる棒状の軸部９２と、軸部９２の後端部に設けられる弾性変形可能な弾性爪部９３と、軸部９２の前端部に設けられ周方向に拡径した拡径鍔部９２ａとから構成され、基板ケース５１及びベース体８０の各挿通孔６５、７６、８５に蓋体７０側から挿入可能なロックピン９１を有し、さらに、軸部９２に軸線方向へ摺動可能に設けられるカラー９６と、ロックピン９１を反挿入方向へ付勢する弾性手段であるスプリング９４とを備えている。
【００４６】
ロックピン９１における軸部９２は、金属などの剛体で形成され、前端部には、周回りが縮径し、弾性爪部９３に設けられた取付孔９３ａより小径の凸部９２ｂが形成されている。この凸部９２ｂに弾性爪部９３の取付孔９３ａを挿着し、凸部９２ｂの先端側から凹部９２ｃを有する蓋材９２ｄを嵌合させて固定することによって弾性爪部９３を軸部９２の先端に固着している。軸部９２の前端部には、基板ケース５１の各挿通孔６５、７６の径より大径、かつ小径筒部７７ｂよりも若干小径の拡径鍔部９２ａが、軸部９２と一体成形されて設けられている。拡径鍔部９２ａの正面視形状は、封印装置９０を封印部９５へ押し込む際に、拡径鍔部９２ａの外周面が小径筒部７７ｂの内周面を摺動するように形成されていることが好ましい。
【００４７】
弾性爪部９３は、ステンレス製のバネ材で形成されており、軸部９２の軸芯からほぼ放射状に斜め前方へそれぞれが周回りに等間隔で突出する複数の爪部９３ｂを有している。
各爪部９３ｂは、縮径変形すると基板ケース５１やベース体８０の各挿通孔６５、７６、８５より小径となって挿入可能となり、各挿通孔６５、７６、８５を通過し弾性復帰して通常状態のとなると、各挿通孔６５、７６、８５より大径となり、ケース体６０及びベース体８０の被係止部６８、８８に係止可能となる。
【００４８】
より、具体的には、図６（ｄ）に示すように、弾性爪部９３は３本の爪部９３ｂで形成されている。これにより、ロックピン９１を反挿入方向へ引き抜くには、少なくとも２方向から同時に爪部９３ｂを縮径変形させて爪部９３ｂの先端の係止を離脱させる必要となり、従前の２本の爪部を有するロックピンと比較すると基板ケースを不正に開封することは困難になる。なお、弾性爪部９３の爪部９３ｂは上述の３本には限定されず、好適なのは３本以上であるが、少なくとも複数本設けてあればよい。
【００４９】
爪部９３ｂの先端部には、ケース体６０及びベース体８０における被係止部６８、８８よりも硬度が高い尖形状の尖形部９３ｃが形成されている。この構成により、スプリング９４の付勢力をもって、弾性爪部９３が被係止部６８、８８に係止すると、各爪部９３ｂの尖形部９３ｃが被係止部６８、８８に容易に刺さるため確実に係止するとともに、図７〜図１０に示すように、係止面が傷つき、痕跡Ｓ１を確実に残すことが可能となる。なお、爪部９３ｂの先端部が被係止部６８、８８よりも高硬度であれば、必ずしも尖形部９３ｃを形成する必要はない。
【００５０】
更に、各爪部９３ｂの先端は、被係止部６８、８８に対してほぼ直角に当接して係止するように設定されているため、被係止部６８、８８に確実に係止するとともに被係止部６８、８８を傷付けて痕跡Ｓ１を確実に残すことができる。
【００５１】
上述のように、ロックピン９１は、軸部９２、拡径鍔部９２ａ及び弾性爪部９３が金属などの剛体で形成されており、剛性が高く壊れにくいため、再利用が可能である。
【００５２】
カラー９６は、段付き筒状をなし、軸部９２の拡径鍔部９２ａと弾性爪部９３との間に、軸部９２に対して軸線方向へ摺動可能に設けられている。カラー９６は、前方から後方へ向かって次第に小径となるように、拡径鍔部９６ａ、位置決め部９６ｂ及び小径部９６ｃが形成されている。
【００５３】
拡径鍔部９６ａは、カラー９６の前側部分に設けられ、基板ケース５１の各挿通孔６５、７６のより大径をなしている。カラー９６に拡径鍔部９６ａを設けることによって、後述するスプリング９４を安定して支持することができる。
【００５４】
位置決め部９６ｂは、拡径鍔部９６ａの後側に設けられ、基板ケース５１の各挿通孔６５、７６よりもわずかに小径であって、挿通孔７６に嵌合することによって上下左右に位置決め可能となっている。即ち、位置決め部９６ｂを設けることによって、カラー９６を備えた封印装置９０を各挿通孔６５、７６に対して上下左右に位置決めすることができ、弾性爪部９３を、安定して被係止部６８、８８に対して係止させることができる。また、位置決め部９６ｂは、後方に向かって縮径するテーパー状をなしており、後端部、即ち挿入側端部が小径となっている。  
【００５５】
小径部９６ｃは、位置決め部９６ｂの後側に設けられ、位置決め部９６ｂより小径であって、位置決め部９６ｂと同様に後方に向かって縮径するテーパー状をなしており、後端部、即ち挿入側端部が小径となっている。
位置決め部９６ｂ及び小径部９６ｃをそれぞれ後方に向かって縮径するテーパー状に形成することによって、カラー９６を各挿通孔６５、７６容易に挿入させることが可能となり、もってカラー９６を備えた封印装置９０を各挿通孔６５、７６に対して容易に挿入することができる。
【００５６】
また、小径部９６ｃの前側の外周部分には、弾性爪部９３の尖形部９３ｃが係止しうるように、尖形部９３ｃの外形とほぼ補形をなす係止孔９６ｅが設けられている。この係止孔９６ｅに、縮径変形させた弾性爪部９３の尖形部９３ｃを係止することにより、図６（ｃ）及び図６（ｄ）に示すように、弾性爪部９３を縮径変形させた状態を維持可能としている。従って、例えば、ロックピン９１の弾性爪部９３が図６（ａ）に示すような通常状態のままで挿通孔７６に挿入すると、弾性爪部９３の各爪部９３ｂが、２重筒部７７の小径筒部７７ｂの筒内に当接し、ロックピン９１に対して反挿入方向への抵抗力が作用するため、その抵抗力に抗って挿入しなければならないが、上述のように弾性爪部９３の各爪部９３ｂを、係止孔９６ｅに係止可能としたことにより、弾性爪部９３縮径変形した状態で封印装置９０を挿通孔７６へ挿入させることができるため、各爪部９３ｂが小径筒部７７ｂの内部に当接せず、不要な部材間の接触を避けることが可能となりロックピン９１を容易に挿入することが可能となる（図７（ａ）及び図７（ｂ）参照）。なお、この係止孔９６ｅの位置は小径部９６ｃに限定されず、弾性爪部９３の各爪部９３ｂ等の長さに従って、縮径変形した状態の弾性爪部９３を係止可能な位置に設ければよい。
【００５７】
カラー９６の拡径鍔部９６ａと軸部９２の拡径鍔部９２ａとの間には、各拡径鍔部９６ａ、９２ａより小径であって、軸部９２周りに巻回されたスプリング９４が設けられている。スプリング９４は、各拡径鍔部９２ａ、９６ａに前後から挾み込まれると、各拡径鍔部９２ａ、９６ａの対向面同士に設けられた浅底の浅溝９２ｅ、９６ｆに前後端部が嵌合して上下左右方へ位置決めされ得るようになっている（図９参照）。
【００５８】
また、スプリング９４は、カラー９６を挿通孔７６、６５に挿入させた状態において、前端部がロックピン９１の拡径鍔部９２ａの後面に当接して、ロックピン９１を反挿入方向（前方）へ付勢することによって、挿通孔６５、７６に挿入した後に弾性復帰したロックピン９１の弾性爪部９３を被係止部６８、８８に対して係止方向（前方）に押し付けることができ、被係止部６８、８８を傷付けて痕跡Ｓ１を残すことができる。また、同時に、スプリング９４は、後端部がカラー９６の拡径鍔部９６ａに当接して、カラー９６を挿入方向（後方）へ付勢することにより、挿入方向（後方）へ付勢したカラー９６の拡径鍔部９６ａと反挿入方向（前方）へ付勢した弾性爪部９３とによって、蓋体７０及びケース体６０と、基板ケース５１及びベース体８０とを、それぞれ前後から挟み込んで組付け、固定することができる（図７（ｃ）及び図７（ｄ）参照）。即ち、スプリング９４を用いることによって、従来のスプリング９４を用いない型の係止ピン等と比較すると、部材をより確実に挟み込んで、安定して固定することができる。
【００５９】
なお、軸部９２、拡径鍔部９２ａ及び弾性爪部９３からなるロックピン９１を、金属などの剛体で形成してあるため、従前の合成樹脂等で形成されるものと比較すると、軸部９２、拡径鍔部９２ａの剛性、及び弾性爪部９３の弾性力は向上し、ケース体６０と蓋体７０とを強固に組付けることができ、かつ基板ケース５１をベース体８０に強固に固定することができる。
【００６０】
ここでスプリング９４の径Ｄを、Ｄ＞各挿通孔６５、７６の内径、の範囲で設定することにより、封印装置９０からカラー９６を省略することもできる。この場合に、Ｄ＞各挿通孔６５、７６の内径、と設定する必要があるのは、各挿通孔６５、７６とロックピン９１の軸部９２との間隙を、スプリング９４が通り抜けてしまう恐れがあるため、スプリング９４の機能を発揮できない可能性があるからである。なお、カラー９６を設けることにより、カラー９６の拡径鍔部９６ａが、各挿通孔６５、７６とロックピン９１の軸部９２との間隙を塞ぐことができるため、スプリング９４の径を各挿通孔６５、７６より小径に設定しても、拡径鍔部９６ａに当接することによって安定してスプリング９４を支持することが可能となる。即ち、スプリング９４の径Ｄを各挿通孔６５、７６の内径には依存せずに設定できるため、カラー９６を用いないものと比較するとスプリング９４の設定許容範囲は広くなる。
【００６１】
図７（ａ）〜図７（ｄ）は、封印装置９０が、蓋体７０とケース体６０とに設けられている各挿通孔６５、７６に挿入して、ケース体６０の裏面の被係止部６８に弾性爪部９３が係止する一連の様子を示している。
なお、図７（ａ）〜図７（ｄ）における右方を遊技機の「後方」、図７（ａ）〜図７（ｄ）における左方を遊技機の「前方」とする。
図７（ａ）に示すように、ケース体６０及び蓋体７０を仮固定させて、封印部９５である取付片６６と２重筒部７７とを重ね合わせて、各挿通孔６５、７６を連通させる。封印装置９０を図中左側の実線で示された通常状態から、仮想線（２点鎖線）で示された、縮径変形した弾性爪部９３の各爪部９３ｂをカラー９６の係止孔９６ｅに係止した係止状態としてから、各挿通孔６５、７６に挿入する。
【００６２】
続いて、図７（ｂ）に示すように、係止状態の封印装置９０を蓋体７０の２重筒部７７の小径筒部７７ｂ内へ押し込み、蓋体７０の挿通孔７６、ケース体６０の挿通孔６５を通過させる。
【００６３】
さらに、封印装置９０を後方へ押し込むと、カラー９６の小径部９６ｃが各挿通孔６５、７６を通過して、位置決め部９６ｂが、挿通孔７６に嵌合し、拡径鍔部９６ａが蓋体７０の前面の挿通孔７６の周囲に当接する。これにより、カラー９６は、上下左右に位置決めされ、それ以上の後方への押し込みは阻止される。さらに、ロックピン９１を後方へ押し込むことによって、スプリング９４が撓み、係止状態の封印装置９０における縮径変形状態の弾性爪部９３は、挿通孔７６、６５を通り過ぎた瞬間に、各爪部９３ｂが僅かに拡径変形し、尖形部９３ｃが係止孔９６ｅから外れるようにして解放されて、尖形部９３ｃが被係止部６８に接触して被係止部６８に放射状の傷である痕跡Ｓ２（図８（ａ）参照）を残しながら弾性復帰し、図６（ｃ）に示すような被係止部６８への係止準備状態となる。このように痕跡Ｓ２を残すことによって、不正行為者が何らかの方法で封印装置９０を再度挿入しようとすると、この被係止部６８に新たに痕跡Ｓ２が残るため、新たな痕跡Ｓ２と再挿入前に残された痕跡Ｓ２とが一致しないことにより不正行為を発見することができる。
【００６４】
係止準備状態で、ロックピン９１の押し込み（後方への押圧）を止めると、図７（ｄ）に示すように、スプリングの付勢力によって、拡径鍔部９２ａが軸部９２とともに反挿入方向（前方）へ付勢され、軸部９２の先端部に設けた弾性爪部９３は、ケース体６０の被係止部６８に係止するとともに被係止部６８を傷付け痕跡Ｓ１を残す。同時に、スプリング９４は、カラー９６を挿入方向（後方）へも付勢しているため、蓋体７０及びケース体６０は、カラー９６の拡径鍔部９６ａと弾性爪部９３とによって前後から挟み込まれて封印状態で確実に組付けられることになる。
【００６５】
この状態において、封印装置９０における挿通孔６５より前側部分の軸部９２及びスプリング９４は、小径筒部７７ｂ内に収容されるとともに、小径筒部７７ｂの開口している前面部分を拡径鍔部９２ａによって塞ぐことにより、小径筒部７７ｂがほぼ密閉状態となるため、外部から接触することはできない。
また、封印装置９０における挿通孔８５より後側部分の軸部９２、弾性爪部９３及びカラー９６は、保護カバー６９内にほぼ密閉状態で収容されるため外部から接触することはできない。
【００６６】
図８は、弾性爪部９３が、弾性復帰する際に被係止部６８に傷付けた放射状の痕跡Ｓ２を付けるとともに、被係止部６８に係止して傷つけた後、その係止を外したときの痕跡Ｓ１を示している。このように、痕跡Ｓ１及び痕跡Ｓ２を残すことによって、不正行為者が何らかの方法で封印装置９０を再度装着した際に、弾性爪部９３の係止位置と痕跡Ｓ１及び痕跡Ｓ２とにずれが生じるため、そのずれを確認することにより不正行為が行われたか否か確認することができる。
【００６７】
図９は、基板ケース５１をベース体８０に固定する状態を示すものであり、一旦、ケース体６０の被係止部６８に痕跡Ｓ１を残した後に、さらに、ベース体８０の被係止部８８に係止する封印装置９０の弾性爪部９３の係止状態を示す。なお、以下の説明では、図９において上方を遊技機の「前方」とし、下方を遊技機の「後方」とする。
前述のケース体６０及び蓋体７０の封印部９５に封印装置９０を装着したように、カラー９６を挿通孔７６に嵌合した状態で、封印装置９０のロックピン９１を、蓋体７０の挿通孔７６及びケース体６０の挿通孔６５に浅く押し込むと、スプリング９４が撓み、縮径変形状態の弾性爪部９３は、挿通孔７６、６５を通り過ぎた瞬間に、爪部９３ｂが僅かに拡径変形し、尖形部９３ｃが係止孔９６ｅから外れて解放され、尖形部９３ｃが被係止部６８に接触して被係止部６８に放射状の痕跡Ｓ２（図８参照）をつけながら弾性復帰する。その後、ロックピン９１の押し込みを止めると、弾性爪部９３がスプリング９４の係止方向（前方）への付勢力により、ケース体６０の被係止部６８に一旦係止して、被係止部６８に痕跡Ｓ１を残す。
【００６８】
その係止状態からさらにロックピン９１を深く押し込むと、さらにスプリング９４が撓み、弾性爪部９３は挿通孔８５を通り過ぎる際に僅かに縮径変形し、挿通孔８５を通り過ぎた後に弾性復帰する。その後にロックピン９１の押し込みを止めると、弾性爪部９３がスプリング９４の係止方向（前方）への付勢力により、ベース体８０の被係止部８８に係止して被係止部８８に痕跡Ｓ１を残す。同時に、スプリング９４は、カラー９６を挿入方向（後方）に付勢しているため、基板ケース５１及びベース体８０は、カラー９６の拡径鍔部９６ａと弾性爪部９３とによって前後から挟み込まれることによって固定される。
【００６９】
なお、弾性爪部９３の尖形部９３ｃを一旦被係止部６８に係止させた状態で、ロックピン９１を所定の角度回転させて、被係止部６８に円弧状の傷である痕跡Ｓ３（図１０参照）を残した後に被係止部８８に係止させてもよい。このように係止させることにより、被係止部６８の痕跡Ｓ１と被係止部８８の痕跡Ｓ１とを正面視で位置を周方向へずらして残すことができるため、不正行為者が同じような痕跡Ｓ１を再現することがより困難となる。
【００７０】
この基板ケース５１がベース体８０に固定された状態において、封印装置９０の前側は、小径筒部７７ｂ内に収容されるとともに、小径筒部７７ｂの開口している前面部分を拡径鍔部９２ａにより塞ぐことにより、ほぼ密閉状態が形成されており、軸部９２やスプリング９４に対して外部から接触することはできない。
封印装置９０の後側は、保護カバー８７により密閉状態が形成されており軸部９２、弾性爪部９３及びカラー９６に対して外部から接触することはできない。
【００７１】
この場合、図９に示すように、痕跡Ｓ１をケース体６０の被係止部６８及びベース体８０の被係止部８８の２箇所に残すことが出来る。これにより、何らかの方法で封印部９５を基板ケース５１から切断することなく封印装置９０を外し、再度、封印装置９０を基板ケース５１及びベース体８０に装着する際に、偶然にケース体６０またはベース体８０の痕跡Ｓ１のいずれか一方と、新たな係止位置が一致したとしても、ケース体６０またはベース体８０の痕跡Ｓ１のいずれかの他方と、新たな係止位置が一致しなければ不正行為が行われたか否か確認することができる。これにより、不正行為の看過を排除することが可能となる。
【００７２】
以上、本発明の一実施形態について説明したが、本発明は、スロットマシンに限定されず、例えば、パチンコ機にも適用することができる。また、本発明の構成の全部また一部を、上述のサブ基板（図示省略）を収容するサブ基板ケース３４等に適用することもできる。
【００７３】
上述の説明においては、本発明の要旨を逸脱しない範囲内で、上記実施形態に対して、次のような変更を施すことが可能である。
（第１変形例）  封印装置９０におけるカラー９６の小径部９６ｃの外周に設けた係止孔９６ｅの代わりに、図１１（ａ）及び図１１（ｂ）に示すよう、弾性爪部９３の各爪部９３ｂの幅と同寸か僅かに狭い複数のスリット９６ｄを設けてもよい。スリット９６ｄは、図１１（ｃ）及び図１１（ｄ）に示すように、縮径変形させた弾性爪部９３の各爪部９３ｂと嵌合して、各爪部９３ｂを収容可能とすることによって、弾性爪部９３を縮径変形させた状態で維持することができる。これにより、弾性爪部９３をよりコンパクトに収容しながら維持することができるため、挿通孔６５、７６、８５に容易に挿入することが可能となり、組付け性が向上する。
【００７４】
（第２変形例）  図１２に示すように、ケース体６０における保護カバー６９の内壁に中心方向へ突出し、弾性爪部９３に係止され得る被係止部６８ｂを有する突部６８ｃを設けてもよい。この突部６８ｃ及び被係止部６８ｂを設けることによって、ケース体６０に蓋体７０を封印装置９０によって封印して組付けるときに、前述の基板ケース５１をベース体８０に固定するときのように（図９参照）、弾性爪部９３が被係止部６８ａに一端係止してから被係止部６８ｂに係止することにより、２箇所に痕跡Ｓ１を残すことができる。
【００７５】
（第３変形例）  封印部９５において、ベース体８０の取付片８６よりも前側の保護カバー８７と、その保護カバー８７の内部に形成された弾性爪部９３が弾性復帰可能とするための空間Ａ（図９参照）とを設けずに、図１３に示すように、封印部９５に、ベース体８０における取付片８６の前面に形成された平坦部８９と、ケース体６０及び蓋体７０の挿通孔６５、７６より若干大径の挿通孔８５ａとを設けてもよい。この構成により、弾性爪部９３によってベース体８０の被係止部８８に確実に痕跡Ｓ１を残すことを可能とするとともに封印部９５の構造を簡易化できる。
なお、挿通孔８５ａの径は、縮径変形状態であって、挿通孔８５ａに挿入した状態の弾性爪部９３が、カラー９６の係止孔９６ｅから離脱可能な程度拡径変形を許容する大きさ有していればよい。
【００７６】
（第４変形例）  ケース体６０の被係止部６８、及びベース体８０の被係止部６８、８８に、圧力が加わると変色する感圧性のシート（図示省略）を設けて、弾性爪部９３が被係止部６８、８８に感圧性のシート（図示省略）を介して係止することにより、感圧性シート（図示省略）を加圧して変色させて係止していた痕跡を残すようにしてもよい。感圧性シート（図示省略）を設けることにより、弾性爪部９３の先端部を、尖形とする必要はなくなり、また、被係止部６８、８８と同程度の剛性を有していれば十分であり、強度を高める必要はなくなる。
【符号の説明】
【００７７】
１  スロットマシン  ２  交換ユニット  ２１  枠体  ２２  回転リール  ２３  メイン基板  ５０  基板ケース装置  ５１  基板ケース  ６０  ケース体  ６５  挿通孔  ６６  取付片  ６８  被係止部  ６９  保護カバー  ７０  蓋体  ７６  挿通孔  ７７  ２重筒部  ７７ａ  筒部  ７７ｂ  小径筒部  ８０  ベース体  ８５  挿通孔  ８６  取付片  ８７  保護カバー  ８８  平坦部  ８９  被係止部  ９０  封印装置  ９１  ロックピン  ９２  軸部  ９２ａ  拡径鍔部  ９２ｂ  凸部  ９２ｃ  凹部  ９２ｄ  浅溝  ９２ｅ  蓋材  ９３  弾性爪部  ９３ａ  取付孔  ９３ｂ  爪部  ９３ｃ  尖形部  ９４  スプリング  ９５  封印部  ９６  カラー  ９６ａ  拡径鍔部  ９６ｂ  位置決め部  ９６ｃ  小径部  ９６ｄ  係止孔  ９６ｅ  浅溝  ９６ｆ  スリット  Ｓ１  痕跡  Ｓ２  痕跡  Ｓ３  痕跡
【図１】
2012223348.tif 000003
【図２】
2012223348.tif 000004
【図３】
2012223348.tif 000005
【図４】
2012223348.tif 000006
【図５】
2012223348.tif 000007
【図６】
2012223348.tif 000008
【図７】
2012223348.tif 000009
【図８】
2012223348.tif 000010
【図９】
2012223348.tif 000011
【図１０】
2012223348.tif 000012
【図１１】
2012223348.tif 000013
【図１２】
2012223348.tif 000014
【図１３】
2012223348.tif 000015